(57)【要約】      （修正有）【課題】載置面に立設して使用することができる使用勝手の良好な小物収納具及び小物収納具の立設方法を提供する。【解決手段】小物収納具Ｓは、覆い体を本体から開放して、載置面Ｇに底面覆い部２１及び第１の前面覆い部２２１の裏面を当接すると共に、背面覆い部及び頂面覆い部の裏面を本体の背面に当接して、小物収納具Ｓを載置面Ｇに立設するものであり、背面覆い部及び頂面覆い部の裏面と本体の背面との当接状態を保持する保持手段を備えているものである。【選択図】図５
2019063424.tif 000002
【特許請求の範囲】
【請求項１】
正面視、小物入れ、前記小物入れの右に位置する右側面部、前記小物入れの左に位置する左側面部、前記小物入れの下に位置する底面部を有する本体と、
この本体に接続され、前記本体の底面部、前記本体の前面部、前記本体の頂面部、前記本体の背面部の一部を覆う覆い体とを備え、
前記本体の底面部を覆う前記覆い体の部位は、底面覆い部であり、
前記本体の前面部を覆う前記覆い体の部位は、前面覆い部であり、
前記本体の頂面部を覆う前記覆い体の部位は、頂面覆い部であり、
前記本体の背面部の一部を覆う前記覆い体の部位は、背面覆い部であり、
前記本体と前記底面覆い部とは、第１の折曲部を介して接続され、
前記底面覆い部と前記前面覆い部とは、第２の折曲部を介して接続され、
前記前面覆い部と前記頂面覆い部とは、第３の折曲部を介して接続され、
前記頂面覆い部と前記背面覆い部とは、第４の折曲部を介して接続され、
前記前面覆い部の中途に中途折曲部が設けられ、
前記前面覆い部は前記中途折曲部を境にして前記本体に近い側は、第１の前面覆い部であり、前記本体に遠い側は、第２の前面覆い部であり、
載置面に立設する場合、前記覆い体を前記本体から開放して、前記載置面に前記底面覆い部の裏面及び前記第１の前面覆い部の裏面を当接すると共に、前記背面覆い部の裏面及び前記頂面覆い部の裏面を前記本体の背面に当接するものであり、
前記背面覆い部の裏面及び/又は前記頂面覆い部の裏面と前記本体の背面との当接状態を保持する保持手段を備えている
ことを特徴とする小物収納具。
【請求項２】
正面視、小物入れ、前記小物入れの右に位置する右側面部、前記小物入れの左に位置する左側面部、前記小物入れの下に位置する底面部を有する本体と、
前記本体に接続され、前記本体の頂面部、前記本体の前面部、前記本体の底面部、前記本体の背面部の一部を覆う覆い体とを備え、
前記本体の頂面部を覆う覆い体の部位は、頂面覆い部であり、
前記本体の前面部を覆う覆い体の部位は、前面覆い部であり、
前記本体の底面部を覆う覆い体の部位は、底面覆い部であり、
前記本体の背面部の一部を覆う覆い体の部位は、背面覆い部であり、
前記本体と前記頂面覆い部とは、第１の折曲部を介して接続され、
前記頂面覆い部と前記前面覆い部とは、第２の折曲部を介して接続され、
前記前面覆い部と前記底面覆い部とは、第３の折曲部を介して接続され、
前記底面覆い部と前記背面覆い部とは、第４の折曲部を介して接続され、
載置面に立設する場合、前記覆い体を前記本体から開放して、前記載置面に前記背面覆い部の裏面及び前記底面覆い部の裏面を当接すると共に、前記背面覆い部の表面を前記本体の底面に当接するものであり、
前記背面覆い部の表面と前記本体の底面部との当接状態を保持する保持手段を備えている
ことを特徴とする小物収納具。
【請求項３】
正面視、小物入れ、前記小物入れの右に位置する右側面部、前記小物入れの左に位置する左側面部、前記小物入れの下に位置する底面部を有する本体と、
この本体に接続され、前記本体の底面部、前記本体の前面部、前記本体の頂面部、前記本体の背面部の一部を覆う覆い体とを備え、
前記本体の底面部を覆う前記覆い体の部位は、底面覆い部であり、
前記本体の前面部を覆う前記覆い体の部位は、前面覆い部であり、
前記本体の頂面部を覆う前記覆い体の部位は、頂面覆い部であり、
前記本体の背面部の一部を覆う前記覆い体の部位は、背面覆い部であり、
前記本体と前記底面覆い部とは、第１の折曲部を介して接続され、
前記底面覆い部と前記前面覆い部とは、第２の折曲部を介して接続され、
前記前面覆い部と前記頂面覆い部とは、第３の折曲部を介して接続され、
前記頂面覆い部と前記背面覆い部とは、第４の折曲部を介して接続され、
前記前面覆い部の中途に中途折曲部が設けられ、
前記前面覆い部は前記中途折曲部を境にして前記本体に近い側は、第１の前面覆い部であり、前記本体に遠い側は、第２の前面覆い部であり、
載置面に立設する場合、前記覆い体を前記本体から開放して、前記載置面に前記底面覆い部の裏面及び前記第１の前面覆い部の裏面を当接すると共に、前記背面覆い部の裏面及び前記頂面覆い部の裏面を前記本体の背面に当接するものであり、
前記背面覆い部の裏面及び/又は前記頂面覆い部の裏面と前記本体の背面との当接状態は、保持手段により保持される
ことを特徴とする小物収納具の立設方法。
【請求項４】
正面視、小物入れ、前記小物入れの右に位置する右側面部、前記小物入れの左に位置する左側面部、前記小物入れの下に位置する底面部を有する本体と、
前記本体に接続され、前記本体の頂面部、前記本体の前面部、前記本体の底面部、前記本体の背面部の一部を覆う覆い体とを備え、
前記本体の頂面部を覆う覆い体の部位は、頂面覆い部であり、
前記本体の前面部を覆う覆い体の部位は、前面覆い部であり、
前記本体の底面部を覆う覆い体の部位は、底面覆い部であり、
前記本体の背面部の一部を覆う覆い体の部位は、背面覆い部であり、
前記本体と前記頂面覆い部とは、第１の折曲部を介して接続され、
前記頂面覆い部と前記前面覆い部とは、第２の折曲部を介して接続され、
前記前面覆い部と前記底面覆い部とは、第３の折曲部を介して接続され、
前記底面覆い部と前記背面覆い部とは、第４の折曲部を介して接続され、
載置面に立設する場合、前記覆い体を前記本体から開放して、前記載置面に前記背面覆い部の裏面及び前記底面覆い部の裏面を当接すると共に、前記背面覆い部の表面を前記本体の底面に当接するものであり、
前記背面覆い部の表面と前記本体の底面部との当接状態は、保持手段により保持される
ことを特徴とする小物収納具の立設方法。
【請求項５】
底面部、右側面部の下方部、左側面部の下方部にそれぞれ接続された受け部材を設け、
小物収納具を載置面に立設する場合、前記受け部材の内側に携帯型電子機器を収納して、前記携帯型電子機器のスタンドとして利用する
ことを特徴とする請求項３又は請求項４記載の小物収納具の立設方法。
【発明の詳細な説明】
【技術分野】
【０００１】
本発明は、小物収納具及び小物収納具の立設方法に係り、特に、載置面に立設して使用することができる使用勝手の良好な小物収納具及び小物収納具の立設方法に関する。
【背景技術】
【０００２】
従来、小物収納具、例えば、文房具を収納するペンケースがあり、近時、ペンケースの側面部を載置面に当接して使用するものが市販されている。
【発明の概要】
【発明が解決しようとする課題】
【０００３】
ところが、上記ペンケースにあっては、載置面に当接する部位がペンケースの側面部であるため、ペンケースの立設状態が不安定であるという問題点が生じた。
【０００４】
本発明は、前記問題点を考慮してなされた小物収納具及び小物収納具の立設方法を提供することを目的とする。
【課題を解決するための手段】
【０００５】
請求項１記載の小物収納具は、正面視、小物入れ、前記小物入れの右に位置する右側面部、前記小物入れの左に位置する左側面部、前記小物入れの下に位置する底面部を有する本体と、この本体に接続され、前記本体の底面部、前記本体の前面部、前記本体の頂面部、前記本体の背面部の一部を覆う覆い体とを備え、前記本体の底面部を覆う前記覆い体の部位は、底面覆い部であり、前記本体の前面部を覆う前記覆い体の部位は、前面覆い部であり、前記本体の頂面部を覆う前記覆い体の部位は、頂面覆い部であり、前記本体の背面部の一部を覆う前記覆い体の部位は、背面覆い部であり、前記本体と前記底面覆い部とは、第１の折曲部を介して接続され、前記底面覆い部と前記前面覆い部とは、第２の折曲部を介して接続され、前記前面覆い部と前記頂面覆い部とは、第３の折曲部を介して接続され、前記頂面覆い部と前記背面覆い部とは、第４の折曲部を介して接続され、前記前面覆い部の中途に中途折曲部が設けられ、前記前面覆い部は前記中途折曲部を境にして前記本体に近い側は、第１の前面覆い部であり、前記本体に遠い側は、第２の前面覆い部であり、載置面に立設する場合、前記覆い体を前記本体から開放して、前記載置面に前記底面覆い部の裏面及び前記第１の前面覆い部の裏面を当接すると共に、前記背面覆い部の裏面及び前記頂面覆い部の裏面を前記本体の背面に当接するものであり、前記背面覆い部の裏面及び/又は前記頂面覆い部の裏面と前記本体の背面との当接状態を保持する保持手段を備えているものである。
【０００６】
また、請求項２記載の小物収納具は、正面視、小物入れ、前記小物入れの右に位置する右側面部、前記小物入れの左に位置する左側面部、前記小物入れの下に位置する底面部を有する本体と、前記本体に接続され、前記本体の頂面部、前記本体の前面部、前記本体の底面部、前記本体の背面部の一部を覆う覆い体とを備え、前記本体の頂面部を覆う覆い体の部位は、頂面覆い部であり、前記本体の前面部を覆う覆い体の部位は、前面覆い部であり、前記本体の底面部を覆う覆い体の部位は、底面覆い部であり、前記本体の背面部の一部を覆う覆い体の部位は、背面覆い部であり、前記本体と前記頂面覆い部とは、第１の折曲部を介して接続され、前記頂面覆い部と前記前面覆い部とは、第２の折曲部を介して接続され、前記前面覆い部と前記底面覆い部とは、第３の折曲部を介して接続され、前記底面覆い部と前記背面覆い部とは、第４の折曲部を介して接続され、載置面に立設する場合、前記覆い体を前記本体から開放して、前記載置面に前記背面覆い部の裏面及び前記底面覆い部の裏面を当接すると共に、前記背面覆い部の表面を前記本体の底面に当接するものであり、前記背面覆い部の表面と前記本体の底面部との当接状態を保持する保持手段を備えているものである。
【０００７】
また、請求項３記載の小物収納具の立設方法は、正面視、小物入れ、前記小物入れの右に位置する右側面部、前記小物入れの左に位置する左側面部、前記小物入れの下に位置する底面部を有する本体と、この本体に接続され、前記本体の底面部、前記本体の前面部、前記本体の頂面部、前記本体の背面部の一部を覆う覆い体とを備え、前記本体の底面部を覆う前記覆い体の部位は、底面覆い部であり、前記本体の前面部を覆う前記覆い体の部位は、前面覆い部であり、前記本体の頂面部を覆う前記覆い体の部位は、頂面覆い部であり、前記本体の背面部の一部を覆う前記覆い体の部位は、背面覆い部であり、前記本体と前記底面覆い部とは、第１の折曲部を介して接続され、前記底面覆い部と前記前面覆い部とは、第２の折曲部を介して接続され、前記前面覆い部と前記頂面覆い部とは、第３の折曲部を介して接続され、前記頂面覆い部と前記背面覆い部とは、第４の折曲部を介して接続され、前記前面覆い部の中途に中途折曲部が設けられ、前記前面覆い部は前記中途折曲部を境にして前記本体に近い側は、第１の前面覆い部であり、前記本体に遠い側は、第２の前面覆い部であり、載置面に立設する場合、前記覆い体を前記本体から開放して、前記載置面に前記底面覆い部の裏面及び前記第１の前面覆い部の裏面を当接すると共に、前記背面覆い部の裏面及び前記頂面覆い部の裏面を前記本体の背面に当接するものであり、前記背面覆い部の裏面及び/又は前記頂面覆い部の裏面と前記本体の背面との当接状態は、保持手段により保持されるものである。
【０００８】
また、請求項４記載の小物収納具の立設方法は、正面視、小物入れ、前記小物入れの右に位置する右側面部、前記小物入れの左に位置する左側面部、前記小物入れの下に位置する底面部を有する本体と、前記本体に接続され、前記本体の頂面部、前記本体の前面部、前記本体の底面部、前記本体の背面部の一部を覆う覆い体とを備え、前記本体の頂面部を覆う覆い体の部位は、頂面覆い部であり、前記本体の前面部を覆う覆い体の部位は、前面覆い部であり、前記本体の底面部を覆う覆い体の部位は、底面覆い部であり、前記本体の背面部の一部を覆う覆い体の部位は、背面覆い部であり、前記本体と前記頂面覆い部とは、第１の折曲部を介して接続され、前記頂面覆い部と前記前面覆い部とは、第２の折曲部を介して接続され、前記前面覆い部と前記底面覆い部とは、第３の折曲部を介して接続され、前記底面覆い部と前記背面覆い部とは、第４の折曲部を介して接続され、載置面に立設する場合、前記覆い体を前記本体から開放して、前記載置面に前記背面覆い部の裏面及び前記底面覆い部の裏面を当接すると共に、前記背面覆い部の表面を前記本体の底面に当接するものであり、前記背面覆い部の表面と前記本体の底面部との当接状態は、保持手段により保持されるものである。
【０００９】
また、請求項５記載の小物収納具の立設方法は、請求項３又は請求項４記載の小物収納具の立設方法において、底面部、右側面部の下方部、左側面部の下方部にそれぞれ接続された受け部材を設け、小物収納具を載置面に立設する場合、前記受け部材の内側に携帯型電子機器を収納して、前記携帯型電子機器のスタンドとして利用するものである。
【発明の効果】
【００１０】
請求項１記載の小物収納具によれば、載置面に立設する場合、載置面に底面覆い部の裏面及び第１の前面覆い部の裏面を当接するため、載置面に安定して立設して使用することができ、背面覆い部の裏面及び頂面覆い部の裏面を本体の背面に当接して、小物収納具を載置面に立設した状態で本体を安定的に支持し、小物収納具に収納した小物を取り出して使用することができ、しかも、背面覆い部の裏面及び/又は頂面覆い部の裏面と前記本体の背面との当接状態は、保持手段により保持されるため、小物収納具を安定して使用することができる等の使用勝手の良好な効果を有する。
【００１１】
また、請求項２記載の小物収納具によれば、載置面に立設する場合、覆い体を本体から開放して、載置面に背面覆い部の裏面及び底面覆い部の裏面を当接するため、載置面に安定して立設して使用することができ、背面覆い部の表面を本体の底面に当接して、小物収納具を載置面に立設した状態で本体を安定的に支持し、小物収納具に収納した小物を取り出し使用することができ、しかも、背面覆い部の表面と本体の底面部との当接状態は、保持手段により保持されるため、小物収納具を安定して使用することができる等の使用勝手の良好な効果を有する。
【００１２】
また、請求項３記載の小物収納具の立設方法によれば、載置面に立設する場合、載置面に底面覆い部の裏面及び第１の前面覆い部の裏面を当接するため、載置面に安定して立設して使用することができ、背面覆い部の裏面及び頂面覆い部の裏面を本体の背面に当接して、小物収納具を載置面に立設した状態で本体を安定的に支持し、小物収納具に収納した小物を取り出して使用することができ、しかも、背面覆い部の裏面及び/又は  頂面覆い部の裏面と前記本体の背面との当接状態は、保持手段により保持されるため、小物収納具を安定して使用することができる等の使用勝手の良好な効果を有する。
【００１３】
また、請求項４記載の小物収納具の立設方法によれば、載置面に立設する場合、覆い体を本体から開放して、載置面に背面覆い部の裏面及び底面覆い部の裏面を当接するため、載置面に安定して立設して使用することができ、背面覆い部の表面を本体の底面に当接して、小物収納具を載置面に立設した状態で本体を安定的に支持し、小物収納具に収納した小物を取り出し使用することができ、しかも、背面覆い部の表面と本体の底面部との当接状態は、保持手段により保持されるため、小物収納具を安定して使用することができる等の使用勝手の良好な効果を有する。
【００１４】
また、請求項５記載の小物収納具の立設方法によれば、上述した請求項３又は請求項４記載の発明の効果に加え、底面部、右側面部の下方部、左側面部の下方部にそれぞれ接続された受け部材を設け、小物収納具を載置面に立設する場合、前記受け部材の内側に携帯型電子機器を収納して、前記携帯型電子機器のスタンドとして利用することができる。
【図面の簡単な説明】
【００１５】
【図１】図１は、本発明の一実施例の小物収納具を展開して示す概略的正面図である。
【図２】図２は、図１の概略的背面図である。
【図３】図３は、図１の小物収納具の本体を覆い体で覆った状態の概略的側面図である。
【図４】図４は、図１の小物収納具を載置面に立設した状態の概略的側面図である。
【図５】図５は、図４の小物収納具の小物入れに小物を入れた状態の概略的斜視図である。
【図６】図６は、図１の小物収納具と異なる他の実施例の小物収納具を展開して示す概略的正面図である。
【図７】図７は、図６の概略的背面図である。
【図８】図８は、図６の小物収納具の本体を覆い体で覆った状態の概略的側面図である。
【図９】図９は、図６の小物収納具を載置面に立設した状態の概略的側面図である。
【図１０】図１０は、図８の小物収納具の小物入れに小物を入れた状態の概略的斜視図である。
【発明を実施するための形態】
【００１６】
本発明の一実施例の小物収納具及び小物収納具の立設方法を図面（図１乃至図５）を参照して説明する。
図１に示すＳは小物収納具で、小物収納具Ｓは、小物、例えば、文具を収納するもので、小物収納具Ｓは、正面視、小物、例えば、文具を収納する小物入れ１１、小物入れ１１の右に位置する右側面部１２、小物入れ１１の左に位置する左側面部１３、小物入れ１１の下に位置する底面部１４を有する本体１と、この本体１に接続され、本体１の底面部１４、本体１の前面部、本体１の頂面部、本体１の背面部の一部を覆う覆い体２とを備えている。
なお、図１に示す小物収納具Ｓにあっては、小物入れ１１が略水平方向のみならず、略垂直方向に複数（本実施例では、三段）設けられ、収納部位を多く有している。
また、図１に示す１５は、底面部１４、右側面部１２の下方部、左側面部１３の下方部にそれぞれ接続された受け部材である。この受け部材１５の内側にタブレット等の携帯型電子機器（図示せず）を収納して、スタンドとしての機能をも有する。
【００１７】
本体１の底面部１４を覆う覆い体２の部位は、底面覆い部２１であり、本体１の前面部を覆う覆い体２の部位は、前面覆い部２２であり、本体１の頂面部を覆う覆い体２の部位は、頂面覆い部２３であり、本体１の背面部の一部を覆う覆い体２の部位は、背面覆い部２４である。
【００１８】
本体１と底面覆い部２１とは、第１の折曲部Ａを介して接続され、底面覆い部２１と前面覆い部２２とは、第２の折曲部Ｂを介して接続され、前面覆い部２２と頂面覆い部２３とは、第３の折曲部Ｃを介して接続され、頂面覆い部２３と背面覆い部２４とは、第４の折曲部Ｄを介して接続され、前面覆い部２２の中途に中途折曲部Ｅが設けられている。
前面覆い部２２は中途折曲部Ｅを境にして本体１に近い側は、第１の前面覆い部２２１であり、本体１に遠い側は、第２の前面覆い部２２２である。
【００１９】
載置面Ｇ（図５）に立設する場合、覆い体２を本体１から開放して、載置面Ｇに底面覆い部２１の裏面及び第１の前面覆い部２２１の裏面を当接すると共に、背面覆い部２４の裏面及び頂面覆い部２３の裏面を本体１の背面に当接するものであり、背面覆い部２４の裏面及び頂面覆い部２３の裏面と本体１の背面との当接状態は、保持手段（第１の保持手段）Ｈ１により保持される。
【００２０】
保持手段（第１の保持手段）Ｈ１は、背面覆い部２４の裏面及び/又は頂面覆い部２３の裏面と本体１の背面との当接状態を保持するもので、具体的には、背面覆い部２４及び/又は頂面覆い部２３に内在された図示しない第１の磁石（磁石は、図示しないが、部分的に設けても良く、また、帯状体の磁石でも良い。）と前記図示しない第１の磁石に付着する本体１に内在された図示しない第２の磁石（磁石は、図示しないが、部分的に設けても良く、また、帯状体の磁石でも良い。）、又は、背面覆い部２４又は頂面覆い部２３に内在された図示しない第１の磁石と前記図示しない第１の磁石に付着する本体１に内在された図示しない第１の金属（金属は、図示しないが、部分的に設けても良く、また、帯状体の金属でも良い。）、又は、本体１に内在された図示しない第２の磁石と前記図示しない第２の磁石に付着する背面覆い部２４又は頂面覆い部２３に内在された図示しない第２の金属（金属は、図示しないが、部分的に設けても良く、また、帯状体の金属でも良い。）、又は、背面覆い部２４又は頂面覆い部２３に取り付けられた図示しない第１の面状ファスナーと前記図示しない第１の面状ファスナーに付着する本体１に取り付けられた図示しない第２の面状ファスナー、又は、背面覆い部２４の先端を本体１の背面に設けた切り込みに差し込んで、図４記載の状態を保持するようにしても良い。
【００２１】
なお、図３に示す背面覆い部２４の裏面と本体１の背面との当接状態は、保持手段（第２の保持手段）Ｈ２により保持される。
保持手段（第２の保持手段）Ｈ２は、背面覆い部２４に内在された図示しない第１の磁石（磁石は、図示しないが、部分的に設けても良く、また、帯状体の磁石でも良い。）と前記図示しない第１の磁石に付着する本体１に内在された図示しない第３の磁石（磁石は、図示しないが、部分的に設けても良く、また、帯状体の磁石でも良い。）、又は、背面覆い部２４に内在された図示しない第１の磁石と前記図示しない第１の磁石に付着する本体１に内在された図示しない第３の金属（金属は、図示しないが、部分的に設けても良く、また、帯状体の金属でも良い。）、又は、本体１に内在された図示しない第２の磁石と前記図示しない第２の磁石に付着する背面覆い部２４に内在された図示しない第２の金属（金属は、図示しないが、部分的に設けても良く、また、帯状体の金属でも良い。）、又は、背面覆い部２４に取り付けられた図示しない第１の面状ファスナーと前記図示しない第１の面状ファスナーに付着する本体１に取り付けられた図示しない第３の面状ファスナーである。
【００２２】
上述した小物収納具Ｓ（小物収納具の立設方法）によれば、載置面Ｇに立設する場合（図４及び図５）、載置面Ｇに底面覆い部２１の裏面及び第１の前面覆い部２２１の裏面を当接するため、載置面Ｇに安定して立設して使用することができ、背面覆い部２４の裏面及び頂面覆い部２３の裏面を本体１の背面に当接して、小物収納具Ｓを載置面Ｇに立設した状態で本体１を安定的に支持し、小物収納具Ｓに収納した小物を取り出して使用することができ、しかも、背面覆い部２４の裏面及び頂面覆い部２３の裏面と本体１の背面との当接状態は、保持手段（第１の保持手段）Ｈ１により保持されるため、小物収納具Ｓを安定して使用することができる等の使用勝手の良好な効果を有する。
なお、特に、小物入れ１１に小物を保持するために、小物収納具Ｓを図３の状態にして携帯したり、また、小物収納具Ｓを立設する場合、図３の状態にして覆い体２を本体１から開放して、図４の状態にすると良い。
また、図示しないが、受け部材１５の内側にタブレット等の携帯型電子機器（図示せず）を収納して、スタンドとしての機能をも有することができる。
【００２３】
次に、上述した小物収納具及び小物収納具の立設方法と異なる他の小物収納具及び小物収納具の立設方法を図面（図６乃至図１０）を参照して説明する。
図６に示すＳは小物収納具で、小物収納具Ｓは、正面視、小物、例えば、文具を収納する小物入れ１１、正面視、小物入れ１１の右に位置する右側面部１２、小物入れ１１の左に位置する左側面部１３、小物入れ１１の下に位置する底面部１４を有する本体１と、この本体１に接続され、本体１の頂面部、本体１の前面部、本体１の底面部１４、本体１の背面部の一部を覆う覆い体２とを備えている。
なお、図６及び図１０に示す小物収納具Ｓにあっては、小物入れ１１が略水平方向のみならず、略垂直方向に複数（本実施例では、三段）設けられ、収納部位を多く有している。
また、図６に示す１５は、底面部１４、右側面部１２の下方部、左側面部１３の下方部にそれぞれ接続された受け部材である。この受け部材１５の内側にタブレット等の携帯型電子機器（図示せず）を収納して、スタンドとしての機能をも有する。
【００２４】
本体１の頂面部を覆う覆い体２の部位は、頂面覆い部２３であり、本体１の前面部を覆う覆い体２の部位は、前面覆い部２２であり、本体１の底面部を覆う覆い体２の部位は、底面覆い部２１であり、本体１の背面部の一部を覆う覆い体２の部位は、背面覆い部２４である。
【００２５】
本体１と頂面覆い部２３とは、第１の折曲部Ａ’を介して接続され、頂面覆い部２３と前面覆い部２２とは、第２の折曲部Ｂ’を介して接続され、前面覆い部２２と底面覆い部２１とは、第３の折曲部Ｃ’を介して接続され、底面覆い部２１と背面覆い部２４とは、第４の折曲部Ｄ’を介して接続されている。
【００２６】
載置面Ｇに立設する場合、覆い体２を本体１から開放して、載置面Ｇに背面覆い部２４の裏面及び底面覆い部２１の裏面を当接すると共に、背面覆い部２４の表面を本体１の底面部１４に当接するものであり、背面覆い部２４の表面と本体１の底面部１４との当接状態は、保持手段（第１の保持手段）Ｈ１により保持される。
【００２７】
保持手段（第１の保持手段）Ｈ１は、背面覆い部２４に取り付けられた図示しない第１の磁石（磁石は、図示しないが、部分的に設けても良く、また、帯状体の磁石でも良い。）と前記図示しない第１の磁石に付着する本体１の底面部１４に取り付けられた図示しない第２の磁石（磁石は、図示しないが、部分的に設けても良く、また、帯状体の磁石でも良い。）、又は、背面覆い部２４に取り付けられた図示しない第１の磁石と前記図示しない第１の磁石に付着する本体１の底面部１４に取り付けられた図示しない第１の金属（金属は、図示しないが、部分的に設けても良く、また、帯状体の金属でも良い。）、又は、本体１の底面部１４に取り付けられた前記図示しない第２の磁石と前記図示しない第２の磁石に付着する背面覆い部２４に内在された図示しない第２の金属（金属は、図示しないが、部分的に設けても良く、また、帯状体の金属でも良い。）、又は、背面覆い部２４に取り付けられた図示しない第１の面状ファスナーと前記図示しない第１の面状ファスナーに付着する本体１の底面部１４に取り付けられた図示しない第２の面状ファスナーである。
【００２８】
なお、図８に示す背面覆い部２４の裏面と本体１の背面との当接状態は、保持手段（第２の保持手段）Ｈ２により保持される。
保持手段（第２の保持手段）Ｈ２は、背面覆い部２４に内在された図示しない第１の磁石（磁石は、図示しないが、部分的に設けても良く、また、帯状体の磁石でも良い。）と前記図示しない第１の磁石に付着する本体１に内在された図示しない第３の磁石（磁石は、図示しないが、部分的に設けても良く、また、帯状体の磁石でも良い。）、又は、背面覆い部２４に内在された図示しない第１の磁石と前記図示しない第１の磁石に付着する本体１に内在された図示しない第３の金属（金属は、図示しないが、部分的に設けても良く、また、帯状体の金属でも良い。）、又は、本体１に内在された図示しない第２の磁石（磁石は、図示しないが、部分的に設けても良く、また、帯状体の磁石でも良い。）と前記図示しない第２の磁石に付着する背面覆い部２４に内在された図示しない第２の金属（金属は、図示しないが、部分的に設けても良く、また、帯状体の金属でも良い。）、又は、背面覆い部２４に取り付けられた図示しない第１の面状ファスナーと前記図示しない第１の面状ファスナーに付着する本体１に取り付けられた図示しない第３の面状ファスナーである。
【００２９】
上述した小物収納具Ｓ（小物収納具の立設方法）によれば、載置面Ｇに立設する場合、覆い体２を本体１から開放して、載置面Ｇに背面覆い部２４の裏面及び底面覆い部２１の裏面を当接するため、載置面Ｇに安定して立設して使用することができ、背面覆い部２４の表面を本体１の底面に当接して、小物収納具Ｓを載置面Ｇに立設した状態で本体１を安定的に支持し、小物収納具Ｓに収納した小物を取り出し使用することができ、しかも、背面覆い部２４の表面と本体１の底面部１４との当接状態は、保持手段Ｈにより保持されるため、小物収納具Ｓを安定して使用することができる等の使用勝手の良好な効果を有する。
また、図示しないが、受け部材１５の内側にタブレット等の携帯型電子機器（図示せず）を収納して、スタンドとしての機能をも有することができる。
なお、特に、小物入れ１１に小物を保持するために、小物収納具Ｓを図８の状態にして携帯したり、また、小物収納具Ｓを立設する場合、図８の状態にして覆い体２を本体１から開放して、図９の状態にすると良い。
【符号の説明】
【００３０】
Ｓ      小物収納具
Ｇ      載置面
１      本体
２      覆い体
２１    底面覆い部
２２    前面覆い部
２２１  第１の前面覆い部
２３    頂面覆い部
２４    背面覆い部
【図１】
2019063424.tif 000003
【図２】
2019063424.tif 000004
【図３】
2019063424.tif 000005
【図４】
2019063424.tif 000006
【図５】
2019063424.tif 000007
【図６】
2019063424.tif 000008
【図７】
2019063424.tif 000009
【図８】
2019063424.tif 000010
【図９】
2019063424.tif 000011
【図１０】
2019063424.tif 000012